(57)【特許請求の範囲】
【請求項１】
それぞれ竹の枝を複数束ねてなる第一枝群及び第二枝群を備え、
前記枝は基端から先端にかけて分枝部を有しつつ全体的に弧状に湾曲しており、
前記第一枝群及び前記第二枝群を構成するそれぞれの複数の前記枝は、それらの凹面を同じ方向に向けて束ねられており、
前記第一枝群と前記第二枝群とが、それぞれ互いに凹面を向い合せにして結束されている
ことを特徴とする竹箒。
【請求項２】
前記第一枝群と前記第二枝群とが熱収縮チューブにより結束されている
ことを特徴とする請求項１に記載の竹箒。
【請求項３】
前記第一枝群及び前記第二枝群がそれぞれ１０本以上１２本以下の前記枝から構成される
ことを特徴とする請求項１に記載の竹箒。
【発明の詳細な説明】
【技術分野】
【０００１】
本発明は、路上や庭を清掃するための竹箒に関する。
【背景技術】
【０００２】
路上や庭などの被清掃面を清掃する清掃用具として、竹箒が広く用いられている。通常の竹箒は、竹の稈からなる柄の先に、多数の竹の枝を束ねてなる穂を設けて構成されている。竹箒は古くから存在するが、掃き心地を改善した竹箒や（特許文献１参照）、塵埃や落葉を効率よく補足するように改良が加えられた竹箒（特許文献２参照）も知られている。
【０００３】
しかし、従来の竹箒も、改良が加えられた上記の特許文献に係る竹箒も、穂の根元から穂先に向けて、外に広がるように形成されている。このような竹箒を用いて被清掃面を掃く場合、穂を構成する枝の先は、被清掃面に点で接触する。そして竹箒の枝の先と被清掃面とが点で接触した状態で掃引すると、小さい塵埃が枝の先に引っかからないため、小さな塵埃を掻き集めることが困難であるという問題があった。
【０００４】
また、穂の根元から穂先に向けて外に広がっている竹箒は嵩張るため、複数の竹箒を隣接して保管するような場合に、穂同士がからまるという問題があった。
【先行技術文献】
【特許文献】
【０００５】
【特許文献１】実用新案登録第３０７８３９０号公報
【特許文献２】実開平３−７６５５２号公報
【発明の概要】
【発明が解決しようとする課題】
【０００６】
本発明は、上記問題点を鑑みて、小さい塵埃を掻き集めるのが容易であるとともに、省スペースで保管することが可能な竹箒を提供することを目的とする。
【課題を解決するための手段】
【０００７】
本発明は、上記課題を解決するためになされたもので、請求項１に記載の発明は、それぞれ竹の枝を複数束ねてなる第一枝群及び第二枝群を備え、前記枝は基端から先端にかけて分枝部を有しつつ全体的に弧状に湾曲しており、前記第一枝群及び前記第二枝群を構成するそれぞれの複数の前記枝は、それらの凹面を同じ方向に向けて束ねられており、前記第一枝群と前記第二枝群とが、それぞれ互いに凹面を向い合せにして結束されていることを特徴とする竹箒である。
【０００８】
請求項２に記載の発明は、前記第一枝群と前記第二枝群とが熱収縮チューブにより結束されていることを特徴とする請求項１に記載の竹箒である。
【０００９】
請求項３に記載の発明は、前記第一枝群及び前記第二枝群がそれぞれ１０本以上１２本以下の前記枝から構成されることを特徴とする請求項１に記載の竹箒である。
【発明の効果】
【００１０】
請求項１の記載の発明によれば、小さい塵埃を掻き集めるのが容易であり、かつ省スペースで保管することが可能な竹箒を提供することができる。
【００１１】
請求項２の記載の発明によれば、第一枝群と第二枝群とを、容易かつ強固に結束することができ、また把持しやすい竹箒を提供することができる。
【００１２】
請求項３の記載の発明によれば、軽量でありながら塵埃を掻き集める能力の高い竹箒を提供することができる。
【図面の簡単な説明】
【００１３】
【図１】本発明の第一実施形態に係る竹箒を示す図であって、（ａ）は平面図であり、（ｂ）は側面図である。
【図２】本発明に係る竹箒を構成する枝を示す図であって、（ａ）は平面図であり、（ｂ）は側面図である。
【図３】本発明に係る竹箒の第一枝群及び第二枝群を示す図であって、（ａ）は平面図であり、（ｂ）は側面図である。
【図４】本発明の第二実施形態に係る竹箒を示す図であって、（ａ）は平面図であり、（ｂ）は側面図である。
【発明を実施するための形態】
【００１４】
次に、本発明を適用した竹箒の実施形態について図面を参照しながら説明する。なお、以下に述べる実施形態は、本発明の好適な実施形態であるから、技術的に好ましい種々の限定が付されているが、本発明の範囲は、以下の説明において特に本発明を限定する旨の記載がない限り、これらの態様に限られるものではない。
【００１５】
［第一実施形態］
図１は、本発明の第一実施形態に係る竹箒を示す図であって、（ａ）は平面図であり、（ｂ）は側面図である。図２は、本発明に係る竹箒を構成する枝を示す図であって、（ａ）は平面図であり、（ｂ）は側面図である。また図３は、本発明に係る竹箒の第一枝群及び第二枝群を示す図であって、（ａ）は平面図であり、（ｂ）は側面図である。
【００１６】
図１に示すように、竹箒１００は、第一枝群１０、第二枝群２０、及びこれらを結束する結束紐３１ａ，３１ｂ，３１ｃを備える。
【００１７】
次に、第一枝群１０及び第二枝群２０を構成する枝１１について、図２に基づき説明する。枝１１は、図２（ａ）の平面図に示すように、複数の分枝部Ｂにおいて枝分かれしながら、面状に広がっている。そして枝１１は、図２（ｂ）の側面図に示すように、基端部１１ａから先端１１ｂにかけて弧状に湾曲している。図２（ｂ）に図示する状態では、上に凸の状態で湾曲しており、下に凹面が向いている。また枝１１は弾性を有しており、まっすぐにしても弾性により湾曲した状態に戻る。
【００１８】
なお、竹の枝が稈から生えている状態においては、枝の先には葉が生えている。そのため、枝の先の葉に重力が作用することにより、枝全体が図２（ｂ）に示すように湾曲している。竹箒１００の穂となる枝１１は、落葉させてから用いられる。落葉は、枝をおろした後、約三週間平積みすることでおこなわれる。また、基端部１１ａについては小枝を除去して、分枝部Ｂがない区間とする。竹箒１００を把持する部分とするためである。分枝部Ｂがない基端部１１ａの区間は、約５０〜６０ｃｍとするのが好適である。
【００１９】
次に第一枝群１０及び第二枝群２０について、図３に基づいて説明する。第一枝群１０は、湾曲した枝１１を、湾曲の向きを揃えつつ重ねて結束することにより構成される。すなわち、湾曲していることにより曲面を形成している枝１１，・・・，１１を、その凹面が同じ方向を向くように重ねて結束することで、第一枝群１０が構成されている。そして第一枝群１０も、全体として凹面を下に向けて配置されている。
【００２０】
なお、第二枝群２０も第一枝群１０と同様に構成されるが、第一枝群１０との違いは、竹箒１００を構成する際に、凹面が、第一枝群１０と反対に、上方向を向くように配置されていることである。
【００２１】
本実施形態において、枝１１，・・・，１１を結束する手段として、繊維質の結束紐１２ａ，１２ｂ，１２ｃが用いられている。すなわち、枝１１，・・・，１１は三か所で結束されることで第一枝群１０及び第二枝群２０を構成している。基端側の結束紐１２ａを最もきつく縛り、先端側の結束紐１２ｃを最もゆるく縛っている。これにより、第一枝群１０及び第二枝群２０それぞれが全体としてしなやかに曲がることが可能となる。第一枝群１０及び第二枝群２０をそれぞれ構成する枝１１の本数は任意に設定できるが、重量と掃引しやすさとを勘案すると、１０〜１２本とするのが好適である。
【００２２】
なお、本実施形態においては、枝１１，・・・，１１を結束する手段として結束紐１２ａ，１２ｂ，１２ｃを用いているが、これに限られず、針金、ゴム紐、粘着テープ、樹脂製の結束バンドなどを用いることも可能であり、適宜に選択することができる。また、本実施形態においては、枝１１，・・・，１１同士が三か所で結束されているが、結束する箇所の数及び結束の位置は、任意に設定することができる。
【００２３】
図１に示すように、第一枝群１０と第二枝群２０とは、それぞれの基端部１０ａ，２０ａにおいて、繊維質の結束紐３１ａ，３１ｂ，３１ｃによって互いに結束されて、竹箒１００を構成している。このとき、第一枝群１０の凹面と第二枝群２０の凹面とが互いに向かい合うようにして結束されている。このように配置されることにより、第一枝群１０と第二枝群２０との間に空間Ｃが形成されている。すなわち、図１（ｂ）に示すように第一枝群１０及び第二枝群２０が側面視でそれぞれ外側に膨らむように配置されて、竹箒１００には、膨らみ部１００ｂ，１００ｃが形成されている。
【００２４】
なお、本実施形態においては、第一枝群１０と第二枝群２０とを結束する手段として結束紐３１ａ，３１ｂ，３１ｃを用いているが、これに限られず、針金、ゴム紐、粘着テープ、樹脂製の結束バンドなどを用いることも可能であり、適宜に選択することができる。また、本実施形態においては、第一枝群１０と第二枝群２０とが三か所で結束されているが、結束する箇所の数及び結束の位置は、任意に設定することができる。また、竹箒１００を構成する枝１１に、スプレーなどで樹脂を塗布することも可能である。これにより、枝１１を補強することができるとともに、結束の強度を増すことができる。
【００２５】
次に、本実施形態に係る竹箒１００の使用方法について説明する。竹箒１００を使用して清掃する際には、基端部１００ａを把持して、膨らみ部１００ｂ又は膨らみ部１００ｃを被清掃面に接触させ、竹箒１００を寝かせた姿勢で掃引することによって、被清掃面を掃く。このとき、膨らみ部１００ｂ又は膨らみ部１００ｃを被清掃面に接触させた状態で、図１（ｂ）における紙面に垂直方向に、竹箒１００を動かす。膨らみ部１００ｂ又は膨らみ部１００ｃを被清掃面に接触させると、枝１１は、線状に被清掃面に接触することになる。そしてこの状態で、枝１１の延びる方向にほぼ直角方向に動かすと、線状に接触する枝がその線にほぼ直角方向に動くことになるため、被清掃面が面状に掃かれることになる。そのため、小さな塵埃も掻き出すことが可能となる。
【００２６】
なお、枝１１は弾性を有し、更に第一枝群１０及び第二枝群２０がしなやかに曲がるよう、枝１１，・・・，１１同士が結束されている。そのため、被清掃面に膨らみ部１００ｂ，１００ｃを接触させたとき、枝１１が弾性的に曲がることによって、確実に被清掃面に線状に接触させることができる。また、被清掃面から竹箒１００を離すと、弾性力により元の形状に復元する。
【００２７】
また、本実施形態に係る竹箒１００は、図１（ｂ）に示すように側面視で穂先が外に広がっていないため、複数の竹箒１００を隣接して保管しても、穂同士がからまることがなく、省スペースで保管することが可能となる。
【００２８】
［第二実施形態］
図４は、本発明の第二実施形態に係る竹箒を示す図であって、（ａ）は平面図であり、（ｂ）は側面図である。
【００２９】
図４に示すように、第二実施形態に係る竹箒２００は、第一実施形態と同様に、図３に示す第一枝群１０及び第二枝群２０を有しており、第一枝群１０及び第二枝群２０はそれぞれ、図２に示す枝１１から構成される。第一実施形態との相違点は、第一枝群１０、第二枝群２０を結束する手段として、加熱により収縮する熱収縮チューブ３２が用いられている点である。以下、第一枝群１０と第二枝群２０との結束について、具体的に説明する。
【００３０】
第一枝群１０と第二枝群２０とは、それぞれの基端部１０ａ，２０ａにおいて、熱収縮チューブ３２によって互いに結束されている。このとき、第一枝群１０と第二枝群２０の凹面とが互いに向かい合うようにして結束されている。このように配置されることにより、第一枝群１０と第二枝群２０との間に空間Ｃが形成されている。すなわち、図４（ｂ）に示すように第一枝群１０及び第二枝群２０が側面視でそれぞれ外側に膨らむように配置されて、竹箒２００には、膨らみ部２００ｂ，２００ｃが形成されている。
【００３１】
次に、熱収縮チューブ３２を使用して第一枝群１０と第二枝群２０とを結束する方法について説明する。第一枝群１０の凹面と第二枝群２０の凹面とが互いに向かい合うように配置した状態で、未収縮の熱収縮チューブ３２に基端部１０ａ，２０ｂを挿入する。そして、熱収縮チューブ３２を、熱湯やヒートガンなどで加熱することにより、収縮させる。これにより、基端部２００ａで第一枝群１０と第二枝群２０とが結束される。熱収縮チューブ３２という一つの部材により、第一枝群１０と第二枝群２０とを、容易にかつ強固に結合できる。なお、収縮後の熱収縮チューブ３２に、発泡樹脂などをスプレーすることも可能であり、これにより更に強固に結合することができる。
【００３２】
竹箒２００の使用方法は、第一実施形態に係る竹箒１００と同様である。すなわち、竹箒２００を寝かせた姿勢にして、膨らみ部２００ｂ又は膨らみ部２００ｃを被清掃面に接触させ、図４（ｂ）における紙面に垂直方向に竹箒２００を動かすことで、被清掃面の小さな塵埃も掻き出すことが可能となる。なお、竹箒２００の基端部２００ａは熱収縮チューブ３２により被覆されているため、基端部２００ａを把持して竹箒２００を操作することが容易である。
【００３３】
なお、第二実施形態に係る竹箒２００では、熱収縮チューブ３２を使用して第一枝群１０と第二枝群２０とを結束しているが、熱収縮チューブ３２に代えて、筒状の硬質樹脂又は発泡樹脂を用いて結束することも可能である。このように構成すると、基端部２００ａが硬質樹脂又は発泡樹脂で被覆されることになり、把持が容易となる。
【００３４】
また、第一実施形態に係る竹箒１００と同様に第一枝群１０と第二枝群２０とを結束したうえで、筒状の硬質樹脂又は発泡樹脂で基端部１００ａを被覆することも可能である。このように構成すると、基端部１００ａが硬質樹脂又は発泡樹脂で被覆されることになり、把持が容易となる。
【符号の説明】
【００３５】
１００，２００  竹箒
１００ａ，２００ａ  基端部
１００ｂ，１００ｃ，２００ｂ，２００ｃ  膨らみ部
１０    第一枝群
１０ａ  基端部
２０    第二枝群
２０ａ  基端部
１１    枝
１１ａ  基端部
１１ｂ  先端
１２ａ，１２ｂ，１２ｃ  結束紐
３１ａ，３１ｂ，３１ｃ  結束紐
３２    熱収縮チューブ
【要約】
【課題】  小さい塵埃を掻き集めるのが容易であるとともに、省スペースで保管することが可能な竹箒を提供する。
【解決手段】  それぞれ竹の枝１１を複数束ねてなる第一枝群１０及び第二枝群２０を備え、枝１１は基端から先端にかけて分枝部を有しつつ全体的に弧状に湾曲しており、第一枝群１０及び前記第二枝群２０を構成するそれぞれの複数の枝１１は、それらの凹面を同じ方向に向けて束ねられており、第一枝群１０と第二枝群２０とが、それぞれ互いに凹面を向い合せにして結束されている。
【選択図】  図１【図１】
0005931251.tif 000002
【図２】
0005931251.tif 000003
【図３】
0005931251.tif 000004
【図４】
0005931251.tif 000005